(57)【特許請求の範囲】
【請求項１】
上壁、下壁及び底壁でもって前後方向に長手状となるようにかつ横断面横Ｕ字状となるように形成してなる樹脂製ケーシングと、
板状スプリングとを備えて、
前記ケーシングは、その内部を、前記底壁の前後方向に沿い前記上壁及び前記下壁との間に間隔をおいて形成してなる前側区画部及び後側区画部でもって、前側凹状収容部、中側凹状収容部及び後側凹状収容部に区画形成してなり、
前記上壁のうち前記中側凹状収容部に対応する中側上壁部は、
上方へ山形状に突出するように形成してなる山形状壁部と、
当該山形状壁部から下方へ突出する突出部とを有しており、
前記下壁のうち前記中側凹状収容部に対応する中側下壁部は、前後両側部及び当該前後両側部の間に設けてなる前後方向中間部位を具備して、前記前後両側部にて、前記前後方向中間部位の前後両端部から上方へ突出するように形成されており、
前記板状スプリングは、前記中側凹状収容部内にて、下方へ凸な湾曲状となるように前記中側下壁部の前記前後両側部と前記突出部との間に介装されている摺動部品。
【請求項２】
前記ケーシングは、前記前側区画部にて、前記前側凹状収容部及び前記中側凹状収容部の各対向壁部を形成する各前側上下方向連結壁部と、当該各前側上下方向連結壁部を相互に連結する前側前後方向連結壁部位とでもって形成されており、また、前記後側区画部にて、前記中側凹状収容部及び前記後側凹状収容部の各対向壁部を形成する各後側上下方向連結壁部と、当該各後側上下方向連結壁部を相互に連結する後側前後方向連結壁部位とでもって形成されていることを特徴とする請求項１に記載の摺動部品。
【請求項３】
前記ケーシングの前記前側区画部は、前記前側凹状収容部及び前記中側凹状収容部の各対向壁部を単一の前側上下方向連結壁部でもって形成することで、前記前側凹状収容部及び前記中側凹状収容部を相互に区画してなり、また、前記後側区画部は、前記中側凹状収容部及び前記後側凹状収容部の各対向壁部を単一の後側上下方向連結壁部でもって形成することで、前記中側凹状収容部及び前記後側凹状収容部を相互に区画してなることを特徴とする請求項１に記載の摺動部品。
【請求項４】
前記前側区画部は、前記前側前後方向連結壁部位を前記各前側上下方向連結壁部の間にてその各下端部に連結することで、Ｕ字状前側区画部として構成されており、
前記後側区画部は、前記後側前後方向連結壁部位を前記各後側上下方向連結壁部の間にてその各下端部に連結することで、Ｕ字状後側区画部として構成されていることを特徴とする請求項２に記載の摺動部品。
【請求項５】
前記前側区画部は、前記前側前後方向連結壁部位を前記各前側上下方向連結壁部の間にてその各上下方向中間部位に連結することで、Ｈ字状前側区画部として構成されており、
前記後側区画部は、前記後側前後方向連結壁部位を前記各後側上下方向連結壁部の間にてその各上下方向中間部位に連結することで、Ｈ字状後側区画部として構成されていることを特徴とする請求項２に記載の摺動部品。
【請求項６】
４つの摺動部品と、サンシェードとを備えており、
前記４つの摺動部品は、それぞれ、
上壁、下壁及び底壁でもって前後方向に長手状となるようにかつ横断面横Ｕ字状となるように形成してなる樹脂製ケーシングと、
板状スプリングとを具備して、
前記ケーシングは、その内部を、前記底壁の前後方向に沿い前記上壁及び前記下壁との間に間隔をおいて形成してなる前側区画部及び後側区画部でもって、前側凹状収容部、中側凹状収容部及び後側凹状収容部に区画形成してなり、
前記上壁のうち前記中側凹状収容部に対応する中側上壁部は、
上方へ山形状に突出するように形成してなる山形状壁部と、
当該山形状壁部から下方へ突出する突出部とを有しており、
前記下壁のうち前記中側凹状収容部に対応する中側下壁部は、前後両側部及び当該前後両側部の間に設けてなる前後方向中間部位を具備して、前記前後両側部にて、前記前後方向中間部位の前後両端部から上方へ突出するように形成されており、
前記板状スプリングは、前記中側凹状収容部内にて、下方へ凸な湾曲状となるように前記中側下壁部の前記前後両側部と前記突出部との間に介装されており、
前記サンシェードは、その前後左右各縁部にて、それぞれ、二股状突出部を形成してなり、
前記４つの摺動部品の各々の前記前側凹状収容部及び後側凹状収容部内には、前記サンシェードの各二股状突出部が組みつけられるようにした摺動部品を用いたサンシェード装置。
【請求項７】
前記４つの摺動部品の各々において、前記ケーシングは、前記前側区画部にて、前記前側凹状収容部及び前記中側凹状収容部の各対向壁部を形成する各前側上下方向連結壁部と、当該各前側上下方向連結壁部を相互に連結する前側前後方向連結壁部位とでもって形成されるとともに、前記後側区画部にて、前記中側凹状収容部及び前記後側凹状収容部の各対向壁部を形成する各後側上下方向連結壁部と、当該各後側上下方向連結壁部を相互に連結する後側前後方向連結壁部位とでもって形成されていることを特徴とする請求項６に記載の摺動部品を用いたサンシェード装置。
【請求項８】
前記４つの摺動部品の各々において、前記ケーシングは、前記前側区画部にて、前記前側前後方向連結壁部位を前記各前側上下方向連結壁部の間にてその各下端部に連結することで、Ｕ字状前側区画部として構成されるとともに、前記後側区画部にて、前記後側前後方向連結壁部位を前記各後側上下方向連結壁部の間にてその各下端部に連結することで、Ｕ字状後側区画部として構成されていることを特徴とする請求項７に記載の摺動部品を用いたサンシェード装置。
【請求項９】
窓を形成してなる外板及び前記窓に対向するように開口部を形成してなる内板からなる屋根を有する車体と、
前記開口部の左右両側縁部に互いに対向して開口するように装着してなる左右両側横Ｕ字状案内レールを有する案内レール装置と、
サンシェード装置とを備えており、
当該サンシェード装置は、
４つの摺動部品と、サンシェードとを備えており、
前記４つの摺動部品は、それぞれ、
上壁、下壁及び底壁でもって前後方向に長手状となるようにかつ横断面横Ｕ字状となるように形成してなる樹脂製ケーシングと、
板状スプリングとを具備してなり、
前記ケーシングは、その内部を、前記底壁の前後方向に沿い前記上壁及び前記下壁との間に間隔をおいて形成してなる前側区画部及び後側区画部でもって、前側凹状収容部、中側凹状収容部及び後側凹状収容部に区画形成してなり、
前記上壁のうち前記中側凹状収容部に対応する中側上壁部は、
上方へ山形状に突出するように形成してなる山形状壁部と、
当該山形状壁部から下方へ突出する突出部とを有しており、
前記下壁のうち前記中側凹状収容部に対応する中側下壁部は、前後両側部及び当該前後両側部の間に設けてなる前後方向中間部位を具備して、前記前後両側部にて、前記前後方向中間部位の前後両端部から上方へ突出するように形成されており、
前記板状スプリングは、前記中側凹状収容部内にて、下方へ凸な湾曲状となるように前記中側下壁部の前記前後両側部と前記突出部との間に介装されており、
前記サンシェードは、その前後左右各縁部にて、それぞれ、二股状突出部（５２）を形成してなり、
前記４つの摺動部品の各々の前記前側凹状収容部及び後側凹状収容部内には、前記サンシェードの各二股状突出部（５２）が組みつけられており、
前記４つの摺動部品のうち、２つの摺動部品は、その各ケーシングにて前記左側横Ｕ字状案内レール内に摺動可能に嵌装されるとともに、残りの２つの摺動部品は、その各ケーシングにて前記右側横Ｕ字状案内レール内に摺動可能に嵌装されるようにしたサンシェード装置を搭載してなる車両。
【請求項１０】
前記案内レール装置は、左側横Ｕ字状案内レールにて、底側レール壁と、当該底側レール壁の上下両側縁部から右方へ延出する上下両側レール壁でもって構成されるとともに、右側横Ｕ字状案内レールにて、底側レール壁と、当該底側レール壁の上下両側縁部から左側横Ｕ字状案内レールの上下両側レール壁に対向するように延出する上下両側レール壁とにより構成されており、
前記左右両側横Ｕ字状案内レールは、それぞれ、上下両側レール壁の一方のレール壁側から他方のレール壁側へ凸な湾曲状となるように湾曲状案内レールとして形成されており、
前記サンシェード装置の前記４つの摺動部品の各々において、前記ケーシングは、前記前側区画部にて、前記前側凹状収容部及び前記中側凹状収容部の各対向壁部を形成する各前側上下方向連結壁部と、当該各前側上下方向連結壁部を相互に連結する前側前後方向連結壁部位とでもって形成されるとともに、前記後側区画部にて、前記中側凹状収容部及び前記後側凹状収容部の各対向壁部を形成する各後側上下方向連結壁部と、当該各後側上下方向連結壁部を相互に連結する後側前後方向連結壁部位とでもって形成されており、
当該サンシェード装置は、前記４つの摺動部品のうち、２つの摺動部品を、その各ケーシングにて前記左側横Ｕ字状案内レール内に摺動可能に嵌装するとともに、残りの２つの摺動部品を、その各ケーシングにて前記右側横Ｕ字状案内レール内に摺動可能に嵌装するようにしたことを特徴とする請求項９に記載のサンシェード装置を搭載してなる車両。
【請求項１１】
前記サンシェード装置の前記４つの摺動部品の各々において、前記ケーシングは、前記前側区画部にて、前記前側前後方向連結壁部位を前記各前側上下方向連結壁部の間にてその各下端部に連結することで、Ｕ字状前側区画部として構成されるとともに、前記後側区画部にて、前記後側前後方向連結壁部位を前記各後側上下方向連結壁部の間にてその各下端部に連結することで、Ｕ字状後側区画部として構成されており、
前記４つの摺動部品のうち、２つの摺動部品を、その各ケーシングにて前記湾曲状案内レールである前記左側横Ｕ字状案内レール内に摺動可能に嵌装するとともに、残りの２つの摺動部品を、その各ケーシングにて前記湾曲状案内レールである前記右側横Ｕ字状案内レール内に摺動可能に嵌装するようにしたことを特徴とする請求項１０に記載のサンシェード装置を搭載してなる車両。
【請求項１２】
前記４つの摺動部品の各々の前記ケーシングにおいて、前記中側上壁部の前記突出部と前記前側隔壁部及び前記後側各壁部の一方との間の長さ、当該山形状壁部の頂部の高さ、前記中側下壁部の前記前後両側部の延出長さ及び前記突出部の突出長さは、前記各摺動部品をそのケーシングにて前記案内レール装置の各対応案内レール内に嵌装することで当該各ケーシングの前記山形状壁部を前記各対応の板状スプリングに抗して前記対応案内レール内に押え込んだときに当該各対応の板状スプリングに生ずる反力が、乗員にとって前記サンシェード装置に対する適正な操作力となるように設定されていることを特徴とする請求項９〜１１のいずれか１つに記載のサンシェード装置を搭載してなる車両。
【発明の詳細な説明】
【技術分野】
【０００１】
本発明は、摺動部品、当該摺動部品を用いるサンシェード装置及び当該サンシェード装置を搭載してなる車両に関する。
【背景技術】
【０００２】
従来、この種の摺動部品においては、下記特許文献１に記載のサンルーフの日差遮蔽板用摺接具が提案されている。当該日差遮蔽板用摺接具のサンシェードに対する取り付け数は、通常、４個であるが、当該各摺接具は、上下両側挟持片及びバネ部材を備えている。
【０００３】
ここで、各摺接具において、バネ部材は、金属製の板バネを弧状に湾曲して形成されて、上下両側挟持片の間において、下側挟持片の両バネ支持片の間に装着されている。当該バネ部材は、その両端側支持部にて、下側挟持片の両バネ支持片に支持されている。これに伴い、当該バネ部材は、その中央部にて、両端側支持部から上側挟持片に向けて弧状に湾曲している。
【０００４】
また、各摺接具は、サンシェードに対し次のようにしてなされている。まず、サンシェードに各摺接具を取り付けるための当該サンシェードの構成について、その一例でもって説明すると、当該サンシェードは、次のような摺接具に対する取り付け部を有している。
【０００５】
当該取付け部は、Ｌ字状切り欠き部と、凹状切り欠き部と、凸部とにより構成されており、Ｌ状切り欠き部は、サンシェードの側縁部の隅角部位をＬ字状に切り欠いて形成されている。凹状切り欠き部は、サンシェードの側縁部の長手方向中央部を凹状に切り欠いて形成されている。また、凸部は、サンシェードの一側縁部にＬ字状切り欠き部と凹状切り欠き部との間にて形成されている。
【０００６】
このように構成したサンシェードに対し摺接具を取り付けるにあたっては、当該摺接具の上側挟持片を、下側挟持片から開いた状態に維持する。このような状態にて、当該摺接具を、その下側挟持片にて、サンシェードの下面に当接させながら、上下両側挟持片の連結部（ヒンジ部）をサンシェードのＬ状切り欠き部内に係合させるとともに、下側挟持片の両バネ支持片及びバネ部材をサンシェードの凹状切り欠き部内に係合される。
【０００７】
然る後、上側挟持片を、サンシェードの凸部を挟むようにして、下側挟持片に閉じる。これにより、サンシェードの凸部は、上下両側挟持片のヒンジ部と下側挟持片の両バネ支持片との間にて上下両側挟持片により挟持される。このようにして、摺接具は、サンシェードに取り付けられている。残りの各摺接具も、上記摺接具と同様にて、サンシェードの一側縁部の他側隅角部及び他側縁部の両側隅角部にそれぞれ取り付けられている。
【０００８】
このようにしてサンシェードに取り付けた各摺接具を両側ガイドレール内に組み付けると、各摺接具の下側挟持片が、その摺接突条にて、両側ガイドレールの各下側内壁面に摺接し、一方、各摺接具の上側挟持片が、その突起にて、バネ部材の弾性力により両側ガイドレールの各上側内壁面に押し付けられながら摺接する。これにより、サンシェードが、摺接具を介し両側ガイドレールに支持される。
【先行技術文献】
【特許文献】
【０００９】
【特許文献１】特開平９−２７７８３５号公報
【発明の概要】
【発明が解決しようとする課題】
【００１０】
しかしながら、上述した日差遮蔽板用摺接具によれば、バネ部材が、上述したごとく、弧状に湾曲して形成されている。このため、バネ部材を弧状に湾曲させるための加工や当該加工後の焼きなまし処理といった余分な作業が必要になるという不具合が生ずる。
【００１１】
さらには、上述のように摺接具をガイドレールに組み付けた場合、バネ部材のガイドレールに対する反力を適正に設定するには、当該バネ部材の湾曲度合いや両端側支持部間の間隔を適正に管理しなければならず、面倒で困難な作業となるという不具合も生ずる。
【００１２】
そこで、本発明は、以上のようなことに対処するため、平板状のスプリングを活用することで、スプリングの余分な加工や案内レールに対するスプリングの反力の管理を不要とした摺動部品、当該摺動部品を用いるサンシェード装置及び当該サンシェード装置を搭載してなる車両を提供することを目的とする。
【課題を解決するための手段】
【００１３】
上記課題の解決にあたり、本発明に係る摺動部品は、請求項１の記載によれば、
上壁（６０ａ）、下壁（６０ｂ）及び底壁（６０ｃ）でもって前後方向に長手状となるようにかつ横断面横Ｕ字状となるように形成してなる樹脂製ケーシング（６０）と、
板状スプリング（７０）とを備えて、
ケーシングは、その内部を、上記底壁の前後方向に沿い上記上壁及び上記下壁との間に間隔をおいて形成してなる前側区画部（８０、６１ｂ、６２ａ）及び後側区画部（８０、６２ｂ，６３ａ）でもって、前側凹状収容部（Ａ）、中側凹状収容部（Ｂ）及び後側凹状収容部（Ｃ）に区画形成してなり、
上記上壁のうち上記中側凹状収容部に対応する中側上壁部（６２）は、
上方へ山形状に突出するように形成してなる山形状壁部（６２ｃ）と、
当該山形状壁部から下方へ突出する突出部（６２ｄ）とを有しており、
上記下壁のうち上記中側凹状収容部に対応する中側下壁部（６５）は、前後両側部（６５ａ、６５ｂ）及び当該前後両側部の間に設けてなる前後方向中間部位（６５ｃ）を具備して、上記前後両側部にて、上記前後両端部から上方へ突出するように形成されており、
板状スプリングは、上記中側凹状収容部内にて、下方へ凸な湾曲状となるように上記中側下壁部の上記前後両側部と上記突出部との間に介装されている。
【００１４】
このように、ケーシングの中側上壁部が、上記構成の山形状壁部及び突出部を有するとともに、中側下壁部が、上述のような構成にて、前後両側部及び前後方向中間部位を具備して、前後両側部にて、上記前後両端部から上方へ突出するように構成されている。
【００１５】
これに伴い、板状スプリングをケーシングの中側凹状収容部内にて下方へ凸な湾曲状となるように中側下壁部の前後両側部と突出部との間に介装するようにした。
【００１６】
従って、当該摺動部品を、そのケーシングにて、案内レール装置の案内レール内に嵌装すると、当該ケーシングは、の案内レールの上側レール壁により、山形状壁部及び突出部にて中側下壁部に向けて押し込まれる。
【００１７】
これに伴い、板状スプリングが、突出部の上記変位に伴い下方へ湾曲することで、反力を発生して突出部及び山形状壁部を介し上側レール壁に作用させる。このように反力を発生するスプリングが板状であっても、乗員の操作感を良好に維持し得る操作力の形成に役立つ。
【００１８】
また、反力を発生するスプリングを板状スプリングとしたので、摺動部品にける反力発生に必要なスプリングの構造がより一層簡単になる。
【００１９】
また、本発明は、請求項２の記載によれば、請求項１に記載の摺動部品において、
ケーシングは、上記前側区画部にて、上記前側凹状収容部及び上記中側凹状収容部の各対向壁部を形成する各連結壁部（６１ｂ、６２ａ）と、当該各連結壁部を相互に連結する連結壁部位（Ｌａ）とでもって形成され、また、上記後側区画部にて、上記中側凹状収容部及び上記後側凹状収容部の各対向壁部を形成する各連結壁部（６２ｂ、６３ａ）と、当該各連結壁部を相互に連結する連結壁部位（Ｌｂ）とでもって形成されていることを特徴とする。
【００２０】
このように、前側区画部及び後側区画部を構成することで、これら前側区画部及び後側区画部が撓み易い構成となる。このため、ケーシングに対しその前側区画部の両側に作用する応力や後側区画部の両側に作用する応力が、前側区画部や後側区画部により適正に緩和され得る。その結果、当該摺動部品を適用する案内レールが直線状或いは湾曲状であっても、当該摺動部品を当該案内レール内に嵌装したとき、当該摺動部品が、当該案内レール内にて円滑に摺動し得る。
【００２１】
また、本発明は、請求項３の記載によれば、請求項１に記載の摺動部品において、
ケーシングの上記前側区画部は、上記前側凹状収容部及び上記中側凹状収容部の各対向壁部を単一の連結壁部（６１ｂ、６２ａ）でもって形成することで、上記前側凹状収容部及び上記中側凹状収容部を相互に区画してなり、また、上記後側区画部は、上記中側凹状収容部及び上記後側凹状収容部の各対向壁部を単一の連結壁部（６２ｂ、６３ａ）でもって形成することで、上記中側凹状収容部及び上記後側凹状収容部を相互に区画してなることを特徴とする。
【００２２】
このように、前側凹状収容部及び中側凹状収容部の各対向壁部を単一の連結壁部でもって前側区画部を形成し、かつ、中側凹状収容部及び後側凹状収容部の各対向壁部を単一の連結壁部でもって後側区画部を形成しても、当該摺動部品が適用される案内レールが直線状であれば、当該摺動部品は、案内レール内にて円滑に摺動し得る。また、案内レールが湾曲状であっても、摺動部品の当該案内レール内における摺動は実質的に可能である。
【００２３】
また、本発明は、請求項４の記載によれば、請求項２に記載の摺動部材において、
上記前側区画部は、上記連結壁部位を上記各連結壁部の間にてその各下端部に連結することで、Ｕ字状前側区画部として構成されており、
上記後側区画部は、上記連結壁部位を上記各連結壁部の間にてその各下端部に連結することで、Ｕ字状後側区画部として構成されていることを特徴とする。
【００２４】
このように、前側区画部及び後側区画部が、それぞれ、Ｕ字状であっても、請求項２に記載の発明と同様の作用効果を達成し得る。
【００２５】
また、本発明は、請求項５の記載によれば、請求項２に記載の摺動部品において、
上記前側区画部は、上記連結壁部位を上記各連結壁部の間にてその各上下方向中間部位に連結することで、Ｈ字状前側区画部として構成されており、
上記後側区画部は、上記連結壁部位を上記各連結壁部の間にてその各上下方向中間部位に連結することで、Ｈ字状後側区画部として構成されていることを特徴とする。
【００２６】
このように、前側区画部及び後側区画部が、それぞれ、Ｈ字状であっても、請求項２に記載の発明と同様の作用効果を達成し得る。
【００２７】
また、本発明に係る摺動部品を用いたサンシェード装置は、請求項６の記載によれば、
４つの摺動部品（ＳＬ）と、サンシェード（５０）とを備えており、
４つの摺動部品は、それぞれ、
上壁（６０ａ）、下壁（６０ｂ）及び底壁（６０ｃ）でもって前後方向に長手状となるようにかつ横断面横Ｕ字状となるように形成してなる樹脂製ケーシング（６０）と、
板状スプリング（７０）とを具備して、
ケーシングは、その内部を、上記底壁の前後方向に沿い上記上壁及び上記下壁との間に間隔をおいて形成してなる前側区画部（８０、６１ｂ、６２ａ）及び後側区画部（８０、６２ｂ，６３ａ）でもって、前側凹状収容部（Ａ）、中側凹状収容部（Ｂ）及び後側凹状収容部（Ｃ）に区画形成してなり、
上記上壁のうち上記中側凹状収容部に対応する中側上壁部（６２）は、
上方へ山形状に突出するように形成してなる山形状壁部（６２ｃ）と、当該山形状壁部から下方へ突出する突出部（６２ｄ）とを有しており、
上記下壁のうち上記中側凹状収容部に対応する中側下壁部（６５）は、前後両側部（６５ａ、６５ｂ）及び当該前後両側部の間に設けてなる前後方向中間部位（６５ｃ）を具備して、上記前後両側部にて、上記前後方向中間部位の前後両端部から上方へ突出するように形成されており、
板状スプリングは、上記中側凹状収容部内にて、下方へ凸な湾曲状となるように上記中側下壁部の上記前後両側部と上記突出部との間に介装されており、
サンシェードは、その前後左右各縁部にて、それぞれ、二股状突出部（５２）を形成してなり、
４つの摺動部品の各々の上記前側凹状収容部及び後側凹状収容部内には、サンシェードの各二股状突出部（５２）が組みつけられるようにした。
【００２８】
このように、各摺動部品及びサンシェードを備えて、上述のように構成してなる当該各摺動部品に、サンシェードを組み付けるようにしたので、請求項１に記載の発明の作用効果を達成し得るサンシェード装置の提供が可能となる。
【００２９】
また、本発明は、請求項７の記載によれば、請求項６に記載の摺動部品を用いたサンシェード装置において、
４つの摺動部品の各々において、ケーシングは、上記前側区画部にて、上記前側凹状収容部及び上記中側凹状収容部の各対向壁部を形成する各前側上下方向連結壁部（６１ｂ、６２ａ）と、当該各前側上下方向連結壁部を相互に連結する前側前後方向連結壁部位（Ｌａ）とでもって形成されるとともに、上記後側区画部にて、上記中側凹状収容部及び上記後側凹状収容部の各対向壁部を形成する各後側上下方向連結壁部（６２ｂ、６３ａ）と、当該各後側上下方向連結壁部を相互に連結する後側前後方向連結壁部位（Ｌｂ）とでもって形成されていることを特徴とする。
【００３０】
このようにケーシングの前側区画部及び後側区画部を形成するようにしたので、請求項６に記載の発明の作用効果を確保し得るサンシェード装置の提供が可能となる。
【００３１】
また、本発明に係るサンシェード装置は、請求項８の記載によれば、請求項７に記載の摺動部品を用いたサンシェード装置において、
４つの摺動部品の各々において、ケーシングは、上記前側区画部にて、上記前側前後方向連結壁部位を上記各前側上下方向連結壁部の間にてその各下端部に連結することで、Ｕ字状前側区画部として構成されるとともに、上記後側区画部にて、上記後側前後方向連結壁部位を上記各後側上下方向連結壁部の間にてその各下端部に連結することで、Ｕ字状後側区画部として構成されていることを特徴とする。
【００３２】
このように、ケーシングの前側区画部及び後側区画部をＵ字状に構成するようにしたので、請求項７に記載の発明の作用効果をより一層確実に達成し得るサンシェード装置の提供が可能となる。
【００３３】
また、本発明に係るサンシェード装置を搭載してなる車両は、請求項９の記載によれば、
窓（３０）を形成してなる外板（２１）及び前記窓に対向するように開口部（３２）を形成してなる内板（２２）からなる屋根（２０）を有する車体と、
上記開口部の左右両側縁部に互いに対向して開口するように装着してなる左右両側横Ｕ字状案内レール（４０ａ）を有する案内レール装置（４０）と、
サンシェード装置とを備えており、
当該サンシェード装置は、
４つの摺動部品（ＳＬ）と、サンシェード（５０）とを備えており、
４つの摺動部品は、それぞれ、
上壁（６０ａ）、下壁（６０ｂ）及び底壁（６０ｃ）でもって前後方向に長手状となるようにかつ横断面横Ｕ字状となるように形成してなる樹脂製ケーシング（６０）と、
板状スプリング（７０）とを具備してなり、
ケーシングは、その内部を、上記底壁の前後方向に沿い上記上壁及び上記下壁との間に間隔をおいて形成してなる前側区画部（８０、６１ｂ、６２ａ）及び後側区画部（８０、６２ｂ，６３ａ）でもって、前側凹状収容部（Ａ）、中側凹状収容部（Ｂ）及び後側凹状収容部（Ｃ）に区画形成してなり、
上記上壁のうち上記中側凹状収容部に対応する中側上壁部（６２）は、
上方へ山形状に突出するように形成してなる山形状壁部（６２ｃ）と、当該山形状壁部から下方へ突出する突出部（６２ｄ）とを有しており、
上記下壁のうち上記中側凹状収容部に対応する中側下壁部（６５）は、前後両側部（６５ａ、６５ｂ）及び当該前後両側部の間に設けてなる前後方向中間部位（６５ｃ）を具備して、上記前後両側部にて、上記前後方向中間部位の前後両端部から上方へ突出するように形成されており、
板状スプリングは、上記中側凹状収容部内にて、下方へ凸な湾曲状となるように上記中側下壁部の上記前後両側部と上記突出部との間に介装されており、
サンシェードは、その前後左右各縁部にて、それぞれ、二股状突出部（５２）を形成してなり、
４つの摺動部品の各々の上記前側凹状収容部及び後側凹状収容部内には、サンシェードの上記各二股状突出部（５２）が組みつけられており、
４つの摺動部品のうち、２つの摺動部品は、その各ケーシングにて左側横Ｕ字状案内レール内に摺動可能に嵌装されるとともに、残りの２つの摺動部品は、その各ケーシングにて右側横Ｕ字状案内レール内に摺動可能に嵌装されるようにした。
【００３４】
このように、案内レール装置及びサンシェード装置を備えて、上述のように構成してなるサンシェード装置を案内レール装置に組み付けるようにすることで、請求項６に記載の発明の作用効果を達成し得るサンシェード装置を備えた車両の提供が可能となる。
【００３５】
また、本発明は、請求項１０の記載によれば、請求項９に記載のサンシェード装置を搭載してなる車両において、
案内レール装置は、左側横Ｕ字状案内レール（４０ｃ）にて、底側レール壁（４７）と、当該底側レール壁の上下両側縁部から右方へ延出する上下両側レール壁（４５、４６）でもって構成されるとともに、右側横Ｕ字状案内レール（４０ｃ）にて、底側レール壁（４７）と、当該底側レール壁の上下両側縁部から左側横Ｕ字状案内レールの上下両側レール壁に対向するように延出する上下両側レール壁（４５、４６）とにより構成されており、
左右両側横Ｕ字状案内レールは、それぞれ、上下両側レール壁の一方のレール壁側から他方のレール壁側へ凸な湾曲状となるように湾曲状案内レールとして形成されており、
サンシェード装置の４つの摺動部品の各々において、ケーシングは、上記前側区画部にて、上記前側凹状収容部及び上記中側凹状収容部の各対向壁部を形成する各前側上下方向連結壁部（６１ｂ、６２ａ）と、当該各前側上下方向連結壁部を相互に連結する前側前後方向連結壁部位（Ｌａ）とでもって形成されるとともに、上記後側区画部にて、上記中側凹状収容部及び上記後側凹状収容部の各対向壁部を形成する各後側上下方向連結壁部（６２ｂ、６３ａ）と、当該各後側上下方向連結壁部を相互に連結する後側前後方向連結壁部位（Ｌｂ）とでもって形成されており、
当該サンシェード装置は、４つの摺動部品のうち、２つの摺動部品を、その各ケーシングにて左側横Ｕ字状案内レール内に摺動可能に嵌装するとともに、残りの２つの摺動部品を、その各ケーシングにて右側横Ｕ字状案内レール内に摺動可能に嵌装するようにしたことを特徴とする。
【００３６】
このように、サンシェード装置において各摺動部材のケーシングにおける前側区画部及び後側区画部を上述のように構成して、当該各摺動部品を上述のように案内レール装置の各湾曲状案内レールに組み付けるようにしたので、案内レール装置の各案内レールの湾曲形状に起因する摺動部品の撓みを、ケーシングの前側区画部及び後側区画部の上記構成でもって良好に吸収しつつ、請求項９に記載の発明の作用効果をより一層向上し得る車両の提供が可能となる。
【００３７】
また、本発明は、請求項１１の記載によれば、請求項１０に記載のサンシェード装置を搭載してなる車両において、
サンシェード装置の４つの摺動部品の各々において、ケーシングは、上記前側区画部にて、上記前側前後方向連結壁部位を上記各前側上下方向連結壁部の間にてその各下端部に連結することで、Ｕ字状前側区画部として構成されるとともに、上記後側区画部にて、上記後側前後方向連結壁部位を上記各後側上下方向連結壁部の間にてその各下端部に連結することで、Ｕ字状後側区画部として構成されており、
４つの摺動部品のうち、２つの摺動部品を、その各ケーシングにて上記湾曲状案内レールである左側横Ｕ字状案内レール内に摺動可能に嵌装するとともに、残りの２つの摺動部品を、その各ケーシングにて上記湾曲状案内レールである右側横Ｕ字状案内レール内に摺動可能に嵌装するようにしたことを特徴とする。
【００３８】
このように、サンシェード装置において、各摺動部品のケーシングの前側区画部及び後側区画部をＵ字状に構成したので、案内レール装置の各案内レールの湾曲形状に起因する摺動部品の撓みを、ケーシングの前側区画部及び後側区画部の上記Ｕ字形状構成でもってより一層良好に吸収しつつ、請求項１０に記載の発明の作用効果をより一層向上し得る車両の提供が可能となる。
【００３９】
また、本発明は、請求項１２の記載によれば、請求項９〜１１のいずれか１つに記載のサンシェード装置を搭載してなる車両において、
４つの摺動部品の各々のケーシングにて、上記中側上壁部の上記突出部と上記前側隔壁部及び上記後側隔壁部の一方との間の長さ（Ｄ）、当該山形状壁部の頂部（Ｔ）の高さ（Ｉ）、上記中側下壁部の上記前後両側部の延出長さ（Ｅ、Ｆ）及び上記突出部の突出長さは、各摺動部品をそのケーシングにて案内レール装置の各対応案内レール内に嵌装することで当該各ケーシングの上記山形状壁部を上記各対応の板状スプリングに抗して上記対応案内レール内に押え込んだときに当該各対応の板状スプリングに生ずる反力が、乗員にとってサンシェード装置に対する適正な操作力となるように設定されていることを特徴とする。
【００４０】
このように各摺動部品のケーシングを構成することで、乗員がサンシェード装置を操作するにあたり、適正な操作力でもって行うことができる。
【００４１】
なお、上記各手段の括弧内の符号は、後述する各実施形態に記載の具体的手段との対応関係を示す。
【図面の簡単な説明】
【００４２】
【図１】本発明に係るサンシェード装置の第１実施形態を適用した自動車の部分破断による模式的概略平面図である。
【図２】図１の自動車の要部を示す模式的縦断面図である。
【図３】本発明に係るサンシェード装置の第１実施形態を適用した自動車の模式的概略平面図である。
【図４】上記第１実施形態における案内レール装置の斜視図である。
【図５】上記第１実施形態におけるサンシェード装置をサンシェード及び各摺動部品の分離状態にて示す概略斜視図である。
【図６】図５の左前側摺動部品を原形状態にて示す拡大側面図である。
【図７】図５の左前側摺動部品のケーシングを示す側面図である。
【図８】図７の左前側摺動部品の部分拡大側面図である。
【図９】図５の左前側摺動部品の板状スプリングを示す側面図である。
【図１０】図５の左前側摺動部品を山形状壁部の押し込み状態にて示す拡大側面図である。
【図１１】図１０の左前側摺動部品の部分拡大側面図である。
【図１２】本発明の第２実施形態の要部を示す側面図である。
【図１３】本発明の第３実施形態の要部を示す斜視図である。
【発明を実施するための形態】
【００４３】
以下、本発明の各実施形態を図面により説明する。
（第１実施形態）
図１〜図３は、自動車に適用される本発明に係るサンシェード装置ＳＤの第１実施形態を示している。当該自動車は、車体１０を備えており、この車体１０の屋根２０には、窓３０が設けられている。なお、屋根２０は、後述するように、窓３０を有する当該自動車のサンルーフとしての役割を果たし、外板２１及び内板２２でもって構成されている（図２参照）。
【００４４】
窓３０は、図１或いは図２にて示すごとく、透明なガラスや樹脂などの透明パネル３１と、窓用開口部３２とでもって構成されており、透明パネル３１は、屋根２０の外板２１に形成した嵌め込み用開口部２２ａ（図１或いは図３参照）に嵌め込まれている。
【００４５】
窓用開口部３２は、図２にて示すごとく、透明パネル３１に下方から対向するように屋根２０の内板２２に形成されている。具体的には、当該窓用開口部３２は、車体１０の車室１１（図２参照）内における前後両側座席（図示しない）のうちの前側座席にその上方から対向するように、屋根２０に開口形成されている（図１〜図３参照）。
【００４６】
本第１実施形態において、図２にて、各頭部Ｍ１、Ｍ２は、それぞれ、上記前後両側座席に着座した各乗員の頭部を示す。なお、図１及び図３において、図示左側及び右側が、それぞれ、車体１０の前側及び後側に対応する。従って、図１及び図３にて図示下側及び上側が、それぞれ、車体１０の左側及び右側に対応する。
【００４７】
当該サンシェード装置ＳＤは、案内レール装置４０（図４参照）を介し、窓３０の窓用開口部３２に対し前後方向に摺動可能に支持されている。
【００４８】
案内レール装置４０は、屋根２０の外板２１と内板２２との間にて窓用開口部３２に組み付けられており、当該案内レール装置４０は、図４にて示すごとく、左右両側案内レール４０ａと、前後両側帯状支持板４０ｂでもって構成されている。左右両側案内レール４０ａは、それぞれ、金属材料、例えば、アルミニウムにより、上側レール壁４１、下側レール壁４２及び底側レール壁４３でもって、形成されている。
【００４９】
本第１実施形態では、上側レール壁４１、下側レール壁４２及び底側レール壁４３は、共に、平板状壁であることから、左右両側案内レール４０ａの各々は、直線状レールとなっている。
【００５０】
ここで、左側案内レール４０ａでは、上側レール壁４１及び下側レール壁４２が、底側レール壁４３の上下両側縁部から右方へ互いに平行に延出している。これにより、左側案内レール４０ａは、上側レール壁４１、下側レール壁４２及び底側レール壁４３でもって、横断面横Ｕ字状に形成されており、当該左側案内レール４０ａ内には、溝部４４が、右方へ開口するように形成されている。
【００５１】
一方、右側案内レール４０ａでは、上側レール壁４１及び下側レール壁４２が、底側レール壁４３の上下両側縁部から左方へ互いに平行に延出している。これにより、右側案内レール４０ａは、上側レール壁４１、下側レール壁４２及び底側レール壁４３でもって、横断面横Ｕ字状に形成されており、当該右側案内レール４０ａ内には、溝部４４が、左方へ開口するように形成されている。
【００５２】
本第１実施形態では、左右両側案内レール４０ａの各々の上側レール壁４１及び下側レール壁４２の各対向面の間隔は、所定間隔（例えば、５．１５（ｍｍ））となっている。
【００５３】
しかして、当該左右両側案内レール４０ａは、その各溝部４４の開口部でもって互いに対向するように、外板２１及び内板２２との間において、内板２２の窓用開口部３２の左右両側縁部にその前後方向に沿い互いに平行となるように組み付けられている。
【００５４】
前後両側帯状支持板４０ｂのうち、前側帯状支持板４０ｂは、その長手方向両端部にて、左右両側案内レール４０ａの各上側レール壁４１の前端部位上にスポット溶接等により固着されている。一方、後側帯状支持板４０ｂは、その長手方向両端部にて、前側帯状支持板４０ｂに対し平行に位置するように、左右両側案内レール４０ａの各上側レール壁４１の後端近傍部位上にスポット溶接等により固着されている。これにより、前後両側帯状支持板４０ｂは、左右両側案内レール４０ａをその長手方向に沿い平行に維持する役割を果たす。
【００５５】
サンシェード装置ＳＤは、図１〜図３及び図５のいずれかにて示すごとく、サンシェード５０と、４つの摺動部品ＳＬとを備えている。
【００５６】
サンシェード５０は、後述するように、各摺動部品ＳＬを介して左右両側案内レール４０ａに前後方向に摺動可能に組み付けられており、当該サンシェード５０は、図５にて示すごとく、シェード本体５０ａ、係止壁５０ｂ及び取手５０ｃを備えている。
【００５７】
シェード本体５０ａは、表皮層、裏皮層、接着フィルム層、ガラス繊維マット層、樹脂層、発泡ウレタン層、樹脂層、ガラス繊維マット層、接着フィルム層及び裏皮層を順次積層して柔軟性のある矩形板状に構成されている。なお、当該シェード本体５０ａの表皮層は、その表面（車室１１内側の面）にて、車室１１内を臨むように位置している。
【００５８】
係止壁５０ｂは、シェード本体５０ａの後端部から上方へＬ字状に立ち上がるようにして形成されている。なお、サンシェード５０が後側摺動端に達したとき、当該係止壁５０ｂは、内板２２の窓用開口部３２の後側内縁部に係止して、サンシェード５０の後方へのさらなる摺動を規制する役割を果たす。
【００５９】
取っ手５０ｃは、シェード本体５０ａの前端側左右方向中央部に設けられている。ここで、当該取っ手５０ｃは、シェード本体５０ａの前端側左右方向中央部内へその表面側から外板２２側へ窪むように凹状に形成されている。
【００６０】
しかして、乗員がその手により車室１１内にて取っ手５０ｃを把持して前後方向へ操作すると、サンシェード５０は、各摺動部品ＳＬと共に案内レール装置４０に沿い前後方向へ摺動するようになっている。なお、サンシェード５０が前側摺動端に位置するとき、当該サンシェード５０は、窓３０を全閉状態になる（図１及び図２参照）。また、サンシェード５０が後側摺動端に位置するとき、当該サンシェード５０は、窓３０を全開状態にする（図３参照）。
【００６１】
次に、４つの摺動部品ＳＬの構成について詳細に説明する。当該４つの摺動部品ＳＬは、それぞれ、図５から分かるように、サンシェード５０のシェード本体５０ａの左前側縁部、左後側縁部、右前側縁部及び右後側縁部に組み付けられている。本第１実施形態において、シェード本体５０ａの左前側縁部、左後側縁部、右前側縁部及び右後側縁部に組み付けられている各摺動部品ＳＬは、以下、左前側摺動部品ＳＬ、左後側摺動部品ＳＬ、右前側摺動部品ＳＬ及び右後側摺動部品ＳＬともいう。
【００６２】
４つの摺動部品ＳＬは、共に、同一の構成を有することから、当該４つの摺動部品ＳＬのうち左前側摺動部品ＳＬを例に挙げてその構成につき詳細に説明する。
【００６３】
左前側摺動部品ＳＬは、上述のごとく、サンシェード５０の左前側縁部に組み付けられている（図５参照）。本第１実施形態において、図６にて図示右側及び左側が、左前側摺動部品ＳＬの前側及び後側にそれぞれ対応する。また、図６にて図示手前側及び奥側が、左前側摺動部品ＳＬの右側及び左側にそれぞれ対応する。従って、図６にて図示上側及び下側が、左前側摺動部品ＳＬの上側及び下側（車室１１内側）に対応する。
【００６４】
当該左前側摺動部品ＳＬは、図６にて示すごとく、ケーシング６０及び板状スプリング７０を備えており、ケーシング６０は、合成樹脂材料でもって、射出成形により、図６或いは図７にて示すごとく、長手形状に形成されている。
【００６５】
当該ケーシング６０は、上壁６０ａ、下壁６０ｂ及び底壁６０ｃを備えており、上壁６０ａ及び下壁６０ｂは、底壁６０ｃの上下両側縁部から右側（図６にて図示手前側）へ互いに略平行に延出されている。
【００６６】
上壁６０ａは、前側上壁部６１、中側上壁部６２及び後側上壁部６３でもって長手状に形成されている。下壁６０ｂは、前側下壁部６４、中側下壁部６５及び後側下壁部６６でもって長手状に形成されており、これら前側下壁部６４、中側下壁部６５及び後側下壁部６６は、前側上壁部６１、中側上壁部６２及び後側上壁部６３に対向する。
【００６７】
また、底壁６０ｃは、前側底壁部６７、中側底壁部６８及び後側底壁部６９でもって、長手状に形成されており、前側底壁部６７は、前側上壁部６１及び前側下壁部６４に対応し、中側底壁部６８は、中側上壁部６２及び中側下壁部６５に対応し、また、後側底壁部６９は、後側上壁部６３及び後側下壁部６６に対応する。
【００６８】
前側上壁部６１及び前側下壁部６４は、その各左縁部（図６にて図示奥側縁部）にて、前側底壁部６７の上下両側縁部に連結されており、当該前側上壁部６１及び前側下壁部６４は、その各左縁部から右側（図６にて図示手前側）へ互いに略平行に延出されている。
【００６９】
また、前側上壁部６１は、その前端部にて、前側上下方向連結壁部６１ａを介して、前側下壁部６４の前端部に連結されており、当該前側上壁部６１の後端部は、中側上下方向連結壁部６１ｂを介して前側下壁部６４の後端部に連結されている。これにより、前側上壁部６１、前側上下方向連結部６１ａ、前側下壁部６４及び中側上下方向連結壁部６１ｂは、略矩形状環状壁（略矩形状前側環状壁ともいう）を構成する。
【００７０】
また、前側底壁部６７は、上記略矩形状前側環状壁をその左側（図６にて図示奥側）から閉じるように、当該略矩形状前側環状壁に設けられている。
【００７１】
しかして、当該前側底壁部６７は、上述した略矩形状前側環状壁と一体となって、前側凹状収容部Ａを構成する。なお、当該前側凹状収容部Ａは、その開口部にて、右側（図６にて図示手前側）へ開口している。
【００７２】
中側上壁部６２及び中側下壁部６５は、その各左縁部（図６にて図示奥側縁部）にて、中側底壁部６８の上下両側縁部に連結されており、当該中側上壁部６２及び中側下壁部６５は、その各左縁部から右側（図６にて図示手前側）へ互いに略平行に延出されている。
【００７３】
また、当該中側上壁部６２は、その前端部にて、中側上下方向連結壁部６２ａの上側部位を介して、中側下壁部６５の前端部に連結されており、当該中側上壁部６２の後端部は、中側上下方向連結壁部６２ｂの上側部位を介して中側下壁部６５の後端部に連結されている。これにより、中側上壁部６２、中側上下方向連結壁部６２ａ、中側下壁部６５及び中側上下方向連結壁部６２ｂは、略矩形状環状壁（略矩形状中側環状壁ともいう）を構成する。
【００７４】
ここで、中側上壁部６２は、図６〜図１０及び図１１のいずれかにて示すごとく、山形状壁部６２ｃと、凸部６２ｄとを備えている。山形状壁部６２ｃは、上方に向け凸な山形状に形成されており、当該山形状壁部６２ｃは、その前後方向中央部（以下、頂部Ｔともいう）にて、両中側連結壁部６２ａ、６２ｂの各上端部を結ぶ線よりも中側下壁部６５とは反対側（左側案内レール４０ａの上側レール壁４１側）へ突出している。また、当該山形状壁部６２ｃは、その頂部Ｔの頂点Ｔｍを中心として当該頂点Ｔｍから前後方向へ（両中側上下方向連結壁部６２ａ、６２ｂの各上端部側へ）緩やかな裾状に傾斜している。このことは、山形状壁部６２ｃは、頂部Ｔ及び当該頂部Ｔの頂点Ｔｍから前後方向へ傾斜する裾部Ｈｍ（図６参照）からなることを意味する。
【００７５】
これにより、左前側摺動部品ＳＬが左側案内レール４０ａ内に嵌装されていない状態にあるとき、山形状壁部６２ｃは、両中側上下方向連結壁部６２ａ、６２ｂの各上端部を結ぶ線よりも上側（中側下壁部６５とは反対側）へ山形状に突出する。また、当該左前側摺動部品ＳＬが左側案内レール４０ａ内に嵌装されると、山形状壁部６２ｃは、その頂部Ｔにて、左側案内レール４０ａの上側レール壁４１により中側下壁部６５側へ押し込まれる。これに伴い、当該山形状壁部６２ｃの頂部Ｔは、その頂点Ｔｍにて、上側レール壁４１の内面と同一の位置、換言すれば、両中側上下方向連結壁部６２ａ、６２ｂの各上端部を結ぶ線上に位置する。
【００７６】
また、凸部６２ｄは、図７或いは図１１にて例示するごとく、山形状壁部６２ｃにその頂部Ｔから下側（中側下壁部６５側）に向け突出するように形成されている。当該凸部６２ｄは、大径部６２ｅと、当該大径部６２ｅよりも小さな径を有する小径部６２ｆとを有しており、大径部６２ｅは、山形状壁部６２ｃの頂部Ｔにその内面から下側へ突出するように形成されている。小径部６２ｆは、大径部６２ｅにその突出端面から下側へ同軸的に突出するように形成されている。
【００７７】
ここで、小径部６２ｆの突出端部は、その突出端面にて、図１１にて示すごとく、左側案内レール４０ａの下側レール壁４２に平行となるような平面状に形成されている。なお、当該小径部６２ｆの突出端部は、その外周縁部にて、断面円弧状に形成されている。
【００７８】
中側下壁部６５は、図７にて示すごとく、Ｌ字状前側部６５ａ、Ｌ字状後側部６５ｂ及び平板状中間部位６５ｃを有している。前側部６５ａ及び後側部６５ｂは、それぞれ、脚部ｘ及び頭部ｙでもって、Ｌ字状に形成されている。
【００７９】
前側部６５ａにおいて、脚部ｘは、その基端部にて、平板状中間部位６５ｃの前端部に連結されており、当該脚部ｘは、その基端部から上方へ延出している。頭部ｙは、脚部ｘの延出端部から前側へＬ字状に折れ曲がるように延出しており、当該頭部ｙは、その延出端部にて、中側上下方向連結壁部６２ａの上下方向中央部（中側上下方向連結壁部６２ａの上側部位と下側部位との境界部）に連結されている。
【００８０】
後側部６５ｂにおいて、脚部ｘは、その基端部にて、平板状中間部位６５ｃの後端部に連結されており、当該脚部ｘは、その基端部から上方へ延出している。頭部ｙは、脚部ｘの延出端部から後側へＬ字状に折れ曲がるように延出しており、当該頭部ｙは、その延出端部にて、中側上下方向連結壁部６２ｂの上下方向中央部（中側上下方向連結壁部６２ｂの上側部位と下側部位との境界部）に連結されている。
【００８１】
また、中側底壁部６８は、上述した略矩形状中側環状壁をその左側（図６にて図示奥側）から閉じるように、当該略矩形状中側環状壁に設けられている。これにより、当該中側下壁部６５は、上記略矩形状中側環状壁とともに、凹状中側収容部Ｂを構成する。なお、当該中側収容部Ｂは、その開口部にて、右側（図６にて図示手前側）へ開口している。
【００８２】
また、後側上壁部６３及び後側下壁部６６は、その各左縁部（図６にて図示奥側縁部）にて、後側底壁部６９の上下両側縁部に連結されており、当該後側上壁部６３及び後側下壁部６６は、その各左縁部から右側（図６にて図示手前側）へ互いに略平行に延出されている。
【００８３】
また、後側上壁部６３は、その前端部にて、中側上下方向連結壁部６３ａを介して、後側下壁部６６の前端部に連結されており、当該後側上壁部６３の後端部は、後側上下方向連結壁部６３ｂを介して後側下壁部６６の後端部に連結されている。これにより、後側上壁部６３、中側上下方向連結壁部６３ａ、後側下壁部６６及び後側上下方向連結壁部６３ｂは、略矩形状環状壁（略矩形状後側環状壁）を構成する。
【００８４】
また、後側底壁部６９は、上記略矩形後側環状壁をその左側（図６にて図示奥側）から閉じるように、当該略矩形状後側環状壁に設けられている。これにより、後側底壁部６９は、上述した略矩形状後側環状壁と一体となって、後側凹状収容部Ｃを構成する。なお、当該後側収容部Ｃは、その開口部にて、右側へ開口している。
【００８５】
板状スプリング７０は、図６或いは図１０にて示すごとく、ケーシング６０の中側収容部Ｂ内にて中側上壁部６２の突出部６２ｄと中側下壁部６５の前側部６５ａ及び後側部６５ｂとの間に介装されている。
【００８６】
ここで、当該板状スプリング７０は、その前端部にて、中側下壁部６５の前側部６５ａの脚部ｘの延出端部上に係合しており、当該板状スプリング７０の後端部は、中側下壁部６５の後側部６５ｂの脚部ｘの延出端部上に係合している。また、当該板状スプリング７０は、その長手方向中央部にて、中側上壁部６２の突出部６２ｄに下側から係合している。
【００８７】
これにより、板状スプリング７０は、下方に向け凸な湾曲形状となるように、中側収容部Ｂ内にて、中側下壁部６５の前側部６５ａ及び後側部６５ｂと中側上壁部６２の突出部６２ｄとの間に介装されている。なお、このような介装状態においては、板状スプリング７０が、上述のごとく下方に向け凸な湾曲形状となっており、また、突出部６２ｄの突出端面が平面状になっていることから、板状スプリング７０の長手方向中央部は、その突出部６２ｄの突出端面の径の両端部に対する両対応部位にて、突出部６２ｄの突出端面の径の両端部に係合する。
【００８８】
本第１実施形態においては、板状スプリング７０は、板ばね材料でもって、矩形平板状に形成されており、当該板状スプリング７０の板厚は、例えば、０．４（ｍｍ）に設定されている。また、当該板状スプリング７０の全長及び幅は、ケーシング６０の中側収容部Ｂに収容可能に設定されている。
【００８９】
また、本第１実施形態において、案内レールに嵌装する前（案内レールによる押え込み前）の左前側摺動部品ＳＬにおいて、板状スプリング７０を挿入する前のケーシング６０の主たる寸法は、次のように設定されている（図７或いは図８参照）。
（１）案内レールによる押え込み前のケーシング６０の高さ（以下、押え込み前ケーシング高さともいう）をＨとすれば、当該押え込み前ケーシング高さはＨ＝５．７（ｍｍ）である。
（２）山形状壁部６２ｃの前後方向幅（以下、山形状壁部前後方向幅ともいう）をＷとすれば、当該山形状壁部前後方向幅はＷ＝８．４４（ｍｍ）である。
（３）案内レールによる押え込み前のケーシング６０において、突出部６２ｄの外周面と中側上壁部６２の下面との間の前側交点Ｐ（図７或いは図８参照）から中側上壁部６２の下面と中側上下方向連結部６２ａの後側面との間の交点Ｑ（図７或いは図８参照）までの長さ（以下、押え込み前突出部−中側上下方向連結部間長さともいう）をＤとすれば、当該押え込み前突出部−中側上下方向連結部間長さはＤ＝１７．００８（ｍｍ）である。
（４）ケーシング６０のＬ字状前側部６５ａ及びＬ字状後側部６５ｂの各脚部の延出長さ（以下、脚部延出長さともいう）を、それぞれ、Ｅ及びＦとすれば、当該各脚部延出長さは、共に同一で、Ｅ＝Ｆ＝３．００（ｍｍ）である。
（５）山形状壁部６２ｃの頂部Ｔの高さ（以下、頂部高さともいう）をＩとすれば、当該頂部高さは、Ｉ＝０．４３（ｍｍ）である。
（６）突出部６２ｄの中側上壁部６２の下面に対する突出基端部から当該突出部６２ｄの突出端面までの突出距離(以下、突出部突出距離ともいう）をＪとすれば、当該突出部突出距離は、Ｊ＝１．８２（ｍｍ）である。
（７）中側上壁部６２のうち山形状壁部６２ｃを除く部位の厚さ(以下、中側上壁部厚さともいう）をＴｈとすれば、当該中側上壁部厚さは、Ｔｈ＝０．８（ｍｍ）である。
【００９０】
ここで、押え込み前ケーシング高さＨは、図８にて示すごとく、中側下壁部６５の下面から山形状壁部６２ｃの頂点Ｔｍまでの中側上下方向連結壁部６２ａの上下方向に沿う高さをいう。
【００９１】
また、山形状壁部前後方向幅Ｗは、山形状壁部６２ｃの前後両側裾部Ｈｍの各傾斜端部間の距離をいう。
【００９２】
また、脚部延出長さＥは、図７にて示すごとく、中側下壁部６５の前側部６５ａの脚部ｘの平板状中間部位６５ｃの下面からの延出長さをいい、脚部延出長さＦは、中側下壁部６５の後側部６５ｂの脚部ｘの平板状中間部位６５ｃの下面からの突出長さをいう。両脚部延出長さＥ、Ｆは、共に、同一であり、中側収容部Ｂ内に収容した板状スプリング７０の長手方向中央部の下端と板状スプリング７０の前後両端部の各対応脚部ｘの延出端部との係合点との間の上下方向長さに等しい。
【００９３】
また、頂部高さＩは、図８にて示すごとく、山形状壁部６２ｃの頂部Ｔの頂点Ｔｍの当該山形状壁部６２ｃの上面上の点ｒからの上下方向高さをいう。但し、点ｒは、板状スプリング７０を収容する前のケーシング６０の山形状壁部６２ｃの裾部Ｈｍの傾斜下端部上の点をいう。
【００９４】
また、本第１実施形態において、板状スプリング７０を挿入してなる左前側摺動部品ＳＬが案内レールに嵌装された状態(案内レールによる抑え込み後の状態）において、当該左前側摺動部品ＳＬのケーシング６０の主たる寸法は、次のように設定されている（図１０参照）。
（１）案内レールにより抑え込まれたケーシング６０の高さ（以下、押え込み後ケーシング高さともいう）をＨ１とすれば、当該押え込み後ケーシング高さは、Ｈ１＝５．０（ｍｍ）である。
（２）案内レールによる押え込み後のケーシング６０において、突出部６２ｄの外周面中側上壁部６２の下面との間の前側交点Ｐ１（図１０参照）から中側上壁部６２の下面と中側上下方向連結部６２ａの後側面との間の交点Ｑ（図１０参照）までの長さ（以下、押え込み後突出部−中側上下方向連結部間長さともいう）をＤ１とすれば、当該押え込み後突出部−中側上下方向連結部間長さは、Ｄ１＝１７（ｍｍ）である。
【００９５】
ここで、押え込み後ケーシング高さＨ１は、図１０にて示すごとく、前側下壁部６４の下面から前側上壁部６１の上面までの前側上下方向連結壁部６１ａの上下方向に沿う高さをいう。このことは、押え込み前ケーシング高さＨは、左前側摺動部品ＳＬを案内レールに嵌装することで、図１０にて示す押え込み後ケーシング高さＨ１まで変形することを意味する。
【００９６】
また、後側上下方向連結壁部６３ｂの後側下壁部６６の下面から後側上壁部６９の上面までの後側上下方向連結壁部６３ｂに沿う高さ、中側上下方向連結部６１ｂの前側前後方向連結壁部位Ｌａ（後述する）の下面からの延出端部までの高さ及び中側上下方向連結部６３ａの後側前後方向連結壁部位Ｌｂ（後述する）の下面からの延出端部までの高さは、上述した押え込み後ケーシング高さＨ１に等しい。
【００９７】
なお、当該押え込み後ケーシング高さＨ１は、左側案内レール４０ａの上側レール壁４１と下側レール壁４２との各対向面間の間隔に略等しい。また、中側上下方向連結部６２ａの前側前後方向連結壁部位Ｌａの下面からの延出端部までの高さ及び中側上下方向連結部６２ｂの後側前後方向連結壁部位Ｌｂの下面からの延出端部までの高さは、共に、押え込み後ケーシング高さＨ１よりも幾分低い。
【００９８】
また、案内レールに嵌装した後の左前側摺動部品ＳＬにおける山形状壁部前後方向幅Ｗ、脚部延出長さＥ＝Ｆ、頂部高さＩ、突出部突出距離Ｊ及び中側上壁部厚さＴｈは、案内レールに嵌装する前の左前側摺動部品ＳＬにおける左前側摺動部品ＳＬの各対応寸法と実質的に変わらない。
【００９９】
上述した各寸法は、次のような根拠に基づき設定されている。板状スプリング７０がケーシング６０の中側収容部Ｂ内に収容されてなる前左側摺動部品ＳＬを左側案内レール４０ａ内に嵌装したとき、山形状壁部６２ｃは、その頂部Ｔにて、左側案内レール４０ａの上側レール壁４１の内面により、下側レール壁４２の内面に向けて押え込まれて、下方へ変位する。
【０１００】
これに伴い、山形状壁部６２ｃの頂部Ｔは、その頂点Ｔｍにて、前側上下方向連結壁部６１ａ、後側上下方向連結壁部６３ｂ、各中側上下方向連結壁部６１ｂ、６３ａの各延出端部（各上端部）の上面と共に、左側案内レール４０ａの上側レール壁４１の内面に接触する状態にある。
【０１０１】
また、中側上壁部６２の突出部６２ｄは、上述のような山形状壁部６２ｃの頂部Ｔの下方への変位に伴い、下方へ変位して、板状スプリング７０の長手方向中央部を下方に変位させる。これにより、板状スプリング７０は、その前後両端部を、中側下壁部６５の前後両側部６５ａ、６５ｂの各脚部ｘの延出端部上に係合させた状態にて、長手方向中央部を下方へ変位させることで、下方に向け凸な湾曲形状に弾性変形する。
【０１０２】
このような状態では、当該板状スプリング７０は、原形状に復帰する方向に反力を発生する。当該反力は、ケーシング６０の山形状壁部６２ｃの頂部Ｔと左側案内レール４０ａの上側レール壁４１との間に摩擦力（摺動部品ＳＬを対応案内レール４０ａの内部に沿い摺動させる際の摩擦力）を発生させる作用力となる。ここで、当該作用力、ひいては上記摩擦力は、摺動部品ＳＬを対応案内レール４０ａの内部に沿い摺動させる際にサンシェード５０に対する乗員の操作感を良好にする操作力を確保し得る値であることが望ましい。
【０１０３】
また、押え込み前突出部−中側上下方向連結部間長さＤが、押え込み後突出部−中側上下方向連結部間長さＤ１よりも小さいと、左側摺動部品ＳＬが左側案内レール４０ａの内部を摺動する過程において、山形状壁部６２ｃの頂部Ｔが左側摺動部品ＳＬの摺動に伴い撓んで山形状壁部６２ｃの頂部Ｔ以外の部位を引っ張る現象が発生してしまう。これでは、ケーシング６０が、上記引っ張る現象に起因して変形し、上述した板状スプリング７０の反力が適性には発生しにくい。
【０１０４】
そこで、上述した押え込み前ケーシング高さＨ、押え込み前突出部−中側上下方向連結部間長さＤ、各脚部延出長さＥ＝Ｆ、頂部高さＩ及び押え込み後突出部−中側上下方向連結部間長さＤ１が、上述した各寸法に設定されている。
【０１０５】
ここで、押え込み前突出部−中側上下方向連結部間長さＤを押え込み後突出部−中側上下方向連結部間長さＤ１よりも大きく設定することで、上述した引っ張る現象の発生を未然に防止して、上述した板状スプリング７０の反力を適正に確保するようにしてある。
【０１０６】
また、中側上壁部６２の突出部６２ｄの突出端部は、その突出端面にて、上述のごとく、左側案内レール４０ａの内面に平行となるような平面状に形成されている。また、山形状壁部６２ｃの頂部Ｔは、上述のごとく、その頂点Ｔｍから両中側連結壁部６２ａ、６２ｂの各上端部にかけて前後方向（当該自動車の前後方向）に緩やかな裾状に傾斜している。
【０１０７】
従って、山形状壁部６２ｃの頂部Ｔがその頂点Ｔｍにて左側案内レール４０ａの上側レール壁４１の内面と点接触し、一方、突出部６２ｄが、その突出端面の径方向両端部ｓ、ｔにて、板状スプリング７０の長手方向中央部の下方への湾曲状上面とそれぞれ点接触する。このことは、山形状壁部６２ｃの頂部Ｔ及び突出部６２ｄが、左側案内レール４０ａの上側レール壁４１と板状スプリング７０との間で３点接触することを意味する。
【０１０８】
しかも、山形状壁部６２ｃの頂部Ｔの高さ（頂部高さ）Ｉは、上述のごとく、０．４３（ｍｍ）と非常に小さな値となっている。なお、従来は、高さＩは１．１（ｍｍ）程度であるため、Ｉ＝０．４３（ｍｍ）という値は、従来に比してかなり小さい。
【０１０９】
このため、前左側摺動部品ＳＬを左側案内レール４０ａ内にて摺動させた際に、当該前左側摺動部品ＳＬは、前後方向（当該自動車の前後方向）に振れにくく、左側案内レール４０ａの上側レール壁４１及び下側レール壁４２との間にてビビり音が発生しにくい。
【０１１０】
次に、当該ケーシング６０の前後両側区画部８０の構成について図６或いは図７により説明する。当該前後両側区画部８０のうち、前側区画部８０は、前側凹状収容部Ａ及び中側凹状収容部Ｂを相互に区画する役割を果たすもので、当該前側区画部８０は、上述した両中側上下方向連結壁部６１ｂ、６２ａ及びケーシング６０の下壁６０ｂのうち当該両中側上下方向連結壁部６１ｂ、６２ａ間部位Ｌａ（以下、前側前後方向連結壁部位Ｌａともいう）でもって、Ｕ字状に形成されている。
【０１１１】
これにより、当該前側区画部８０は、前側凹状収容部Ａ及び中側凹状収容部Ｂを相互に区画して、ケーシング６０に対し前側区画部８０の両側にて作用する上下方向の応力を緩和する役割を果たす。
【０１１２】
また、後側区画部８０は、中側凹状収容部Ｂ及び後側凹状収容部Ｃを相互に区画する役割を果たすもので、当該後側区画部８０は、上述した両中側上下方向連結壁部６２ｂ、６３ａ及びケーシング６０の下壁６０ｂのうち当該両中側上下方向連結壁部６２ｂ、６３ａ間部位Ｌｂ（以下、後側前後方向連結壁部位Ｌｂともいう）でもって、Ｕ字状に形成されている。これにより、当該後側区画部８０は、中側凹状収容部Ｂ及び後側凹状収容部Ｃを相互に区画して、ケーシング６０に対し後側区画部８０の両側にて作用する上下方向の応力を緩和する役割を果たす。
【０１１３】
本第１実施形態において、左前側摺動部品ＳＬをサンシェード５０に対し組み付けるにあたっては、当該左前側摺動部品ＳＬの前側収容部Ａ及び後側収容部Ｃ内に、サンシェード５０の左側前端部に間隔をおいて形成した二股状突出部５２（図５参照）を挿入係合させることで、当該左前側摺動部品ＳＬは、サンシェード５０の左側前端部に組み付けられている（図５参照）。
【０１１４】
また、残りの左後側摺動部品ＳＬ、右前側摺動部品ＳＬ及び右後側摺動部品ＳＬも、上述した左前側摺動部品ＳＬと同様に構成されている。
【０１１５】
ここで、左後側摺動部品ＳＬは、その前側収容部Ａ及び後側収容部Ｃ内に、サンシェード５０の左側後端部に間隔をおいて形成した二股状突出部５２を挿入係合させることで、当該左後側摺動部品ＳＬは、サンシェード５０の左側後端部に組み付けられている。
【０１１６】
右前側摺動部品ＳＬは、その前側収容部Ａ及び後側収容部Ｃ内に、サンシェード５０の右側前端部に間隔をおいて形成した二股状突出部５２を挿入係合させることで、当該右前側摺動部品ＳＬは、サンシェード５０の右側前端部に組み付けられている。一方、右後側摺動部品ＳＬは、その前側収容部Ａ及び後側収容部Ｃ内に、サンシェード５０の右側後端部に間隔をおいて形成した二股状突出部５２を挿入係合させることで、当該右後側摺動部品ＳＬは、サンシェード５０の右側後端部に組み付けられている。
【０１１７】
以上のように構成した本第１実施形態において、サンシェード装置ＳＤが、左前側、左後側、右前側及び右後側の各摺動部品ＳＬにて、案内レール装置４０の左右両側案内レール４０ａ内に摺動可能に嵌装されているとともに、サンシェード５０が、図１或いは図２にて示すごとく、窓３０を全閉状態に維持しているものとする。
【０１１８】
このような状態にあっては、サンシェード装置ＳＤにおいて、左前後両側摺動部品ＳＬは、その各ケーシング６０にて、左側案内レール４０ａの溝部４４内に前後方向に摺動可能に嵌装されているとともに、右前後両側摺動部品ＳＬは、その各ケーシング６０にて、右側案内レール４０ａの溝部４４内に前後方向に摺動可能に嵌装されている。
【０１１９】
このとき、左前側、左後側、右前側及び右後側の摺動部品ＳＬにおいては、各ケーシング６０が、その山形状壁部６２ｃの頂部Ｔにて、対応案内レール４０ａの上側レール壁４１により下側レール壁４２に向け押え込まれている。このため、山形状壁部６２ｃの頂部Ｔは、その頂点Ｔｍにて、上側レール壁４１の内面に接触した状態にある。
【０１２０】
このとき、各ケーシング６０において、板状スプリング７０は、その長手方向中央部にて、中側上壁部６２の突出部６２ｄによりその突出端面でもって、下方へ押されて、下方に向けて変位している。このため、板状スプリング７０は、中側下壁部６５の前後両側部６５ａ、６５ｂの各脚部ｘの延出端部上に係合する前後両端部を基準として、下方へ凸な湾曲形状に変形している（図１０及び図１１参照）。
【０１２１】
このような状態では、板状スプリング７０が、その上記下方への変位に応じて原形状に復帰する方向に反力を発生する。これに伴い、当該反力が、山形状壁部６２ｃの頂部Ｔをその頂点Ｔにて対応案内レール４０ａの上側レール壁４１の内面に押し付けるように作用する。これにより、山形状壁部６２ｃの頂部Ｔは、その頂点Ｔｍにて、対応案内レール４０ａの上側レール壁４１の内面に対し上記反力に対応する作用力でもって接触する。
【０１２２】
ここで、押え込み前ケーシング高さＨ、押え込み前突出部−中側上下方向連結部間長さＤ、各脚部延出長さＥ＝Ｆ、頂部高さＩ、突出部突出距離Ｊ及び押え込み後突出部−中側上下方向連結部間長さＤ１が、上述したごとく、設定されている。
【０１２３】
従って、山形状壁部６２ｃが、上述のごとく、その頂部Ｔにて、抑え込まれたとき、押え込み前突出部−中側上下方向連結部間長さＤが、押え込み後突出部−中側上下方向連結部間長さＤ１に変化する。
【０１２４】
然るに、押え込み前突出部−中側上下方向連結部間長さＤは、１７．００８（ｍｍ）であり、また、押え込み後突出部−中側上下方向連結部間長さＤ１は、１７（ｍｍ）であることから、Ｄ１＜Ｄが成立する。
【０１２５】
しかも、上述したごとく、山形状壁部６２ｃの頂部Ｔがその頂点Ｔｍにて対応の案内レール４０ａの上側レール壁４１の内面と点接触し、一方、突出部６２ｄが、その突出端面の径方向両端部ｓ、ｔにて、板状スプリング７０の長手方向中央部の湾曲状上面とそれぞれ点接触することで、山形状壁部６２ｃの頂部Ｔ及び突出部６２ｄが、対応案内レール４０ａの上側レール壁４１と板状スプリング７０との間で３点接触している。これにより、山形状壁部６２ｃの頂部Ｔ及び突出部６２ｄが、対応案内レール４０ａの上側レール４１と板状スプリング７０との間にて安定的に維持され得る。
【０１２６】
以上のように、Ｄ１＜Ｄが成立するとともに、山形状壁部６２ｃの頂部Ｔ及び突出部６２ｄが、対応案内レール４０ａの上側レール４１と板状スプリング７０との間にて安定的に維持され得る。
【０１２７】
従って、各摺動部材ＳＬを対応の案内レール４０ａ内にて前後方向（当該自動車の前後方向）へ摺動させる過程において、山形状壁部６２ｃの頂部Ｔが左側摺動部品ＳＬの摺動に伴い撓んで山形状壁部６２ｃの頂部Ｔ以外の部位を引っ張る現象が発生せず、ケーシング６０が、上記引っ張る現象に起因して変形しない。
【０１２８】
その結果、上述した板状スプリング７０の反力が適性に発生し得るとともに、サンシェード５０の前後方向（当該自動車の前後方向）への触れを抑制することで、ビビリ音の発生を未然に防止し得る。
【０１２９】
これにより、上述した反力は、ビビリ音の発生の防止のもとに、サンシェード５０に対する乗員の操作感を良好にするような操作力を確保し得る値を形成し得る。
【０１３０】
このような状態にて、乗員Ｍ１が、その手により、取っ手５０ｃを把持して、窓３０を開く方向にサンシェード５０を操作すると、各摺動部品ＳＬは、対応の案内レール４０ａに沿い後方へ摺動する。これに伴い、窓３０は、全開状態になる（図３参照）。
【０１３１】
このとき、上述のごとく、各板状スプリング７０の反力が、ビビリ音の発生防止のもとに、サンシェード５０に対する乗員の操作感を良好にするような操作力を確保し得る値となっていることから、乗員は、ビビリ音を感ずることなく、サンシェード５０を良好な操作感でもって、前後方向（当該自動車の前後方向）へ摺動し得る。
【０１３２】
また、各摺動部材ＳＬにおいては、前後両側区画部８０が、上述のごとく、ケーシング６０に設けられているから、各案内レール４０ａがその前後方向において曲げを有していても、各ケーシング６０の前側凹状収容部Ａと中側凹状収容部Ｂとの間や中側凹状収容部Ｂと後側凹状収容部Ｃとの間において、前後両側区画部８０の前後方向連結部位Ｌａ、Ｌｂを基準として、撓み易い。
【０１３３】
従って、上記曲げが、前後両側区画部８０でもって良好に吸収され得るのは勿論のこと、ケーシング６０が従来のような前後両側区画部８０を有さないケーシングである場合に生じがちなケーシングの長手方向端部による上側レール壁４１との間の干渉現象を招くことがないので、各摺動部品ＳＬの各対応案内レール４０ａ内における摺動が円滑になされ得る。
【０１３４】
また、ケーシング６０の中側凹状収容部Ｂ内に収容するスプリングが、上述のごとく、板状スプリングであることから、当該板状スプリングを、板ばね材料の打ち抜き加工でもって形成するのみでよく、従来のように予め湾曲してなるスプリングを用いた場合に必要とされる曲げ加工、焼きなまし処理や、反力を決めるための高さ管理や支点間管理が不必要となり、コスト低減につながる。
【０１３５】
上述のように板状スプリングを採用するために、当該板状スプリングの反力を決めるための高さ管理や支点間管理は、ケーシングで行うことになるが、ケーシングは樹脂成形で形成するから、当該ケーシングの形状が変わっても、コスト的には影響がない。その結果、摺動部品としてのコストの低減を図り得る。
（第２実施形態）
図１２は、本発明の第２実施形態の要部を示している。当該第２実施形態では、上記第１実施形態にて述べた各摺動部品ＳＬのケーシング６０において、前後両側区画部８０に代えて、前後両側区画部８０ａが採用されている。
【０１３６】
当該前後両側区画部８０ａのうち、前側区画部８０ａは、前側区画部８０において、各前後方向連結部位Ｌａ、Ｌｂに代えて、各前後方向連結部位Ｌｃ、Ｌｄを採用してなるものである。
【０１３７】
ここで、前後方向連結部位Ｌｃは、その前後方向両端部にて、前側上下方向連結壁部６１ｂの上下方向中央部位及び中側上下方向連結壁部６２ａの上下方向中央部に連結されて、前側区画部８０ａをＨの字状に構成する。また、前後方向連結部位Ｌｄは、その前後方向両端部にて、中側上下方向連結壁部６２ｂの上下方向中央部位及び後側上下方向連結壁部６３ａの上下方向中央部に連結されて、後側区画部８０ａをＨの字状に構成する。
【０１３８】
これにより、前側区画部８０ａは、前側凹状収容部Ａ及び中側凹状収容部Ｂを相互に区画して、ケーシング６０に対し前側区画部８０ａの両側にて作用する上下方向の応力を緩和する役割を果たすとともに、後側区画部８０ａは、中側凹状収容部Ｂ及び後側凹状収容部Ｃを相互に区画して、ケーシング６０に対し後側区画部８０ａの両側にて作用する上下方向の応力を緩和する役割を果たす。その他の構成は、上記第１実施形態と同様である。
【０１３９】
このように構成した本第２実施形態においては、各案内レール４０ａがその前後方向において曲げを有していても、各摺動部材ＳＬにおいては、前後両側区画部８０ａが、上述のごとく、ケーシング６０に設けられているから、各ケーシング６０の前側凹状収容部Ａと中側凹状収容部Ｂとの間や中側凹状収容部Ｂと後側凹状収容部Ｃとの間において、前後両側区画部８０ａの連結部位Ｌｃ、Ｌｄを基準として、撓み易い。
【０１４０】
従って、上述した対応案内レール４０ａの曲げが、前後両側区画部８０ａでもって良好に吸収され得るのは勿論のこと、本第２実施形態にいうケーシング６０が従来のような前後両側区画部８０ａを有さないケーシングである場合に生じがちなケーシングの長手方向端部による上側レール壁４１との間の干渉現象を招くことがないので、本第２実施形態でも、各摺動部品ＳＬの各対応案内レール４０ａ内における摺動が円滑になされ得る。その他の作動及び作用効果は上記第１実施形態と同様である。
（第３実施形態）
図１３は、本発明の第３実施形態の要部を示している。当該第３実施形態では、案内レール装置（以下、案内レール装置４０という）が、上記第１実施形態にて述べた案内レール装置４０に代えて採用されている。
【０１４１】
本第３実施形態にいう案内レール装置４０は、上記第１実施形態にて述べた案内レール装置４０の左右両側案内レール４０ａに代えて、左右両側案内レール４０ｃを採用してなるものである。
【０１４２】
ここで、左右両側案内レール４０ｃは、ともに、同一の曲率半径でもって、上に凸な湾曲形状に形成されている。従って、左右両側案内レール４０ｃの各々を構成する上側レール壁４５、下側レール壁４６及び底側壁４７（左右両側案内レール４０ａの各々の上側レール壁４１、下側レール壁４２及び底側壁４３に対応する）は、左右両側案内レール４０ｃの各々と同様の曲率半径でもって、上に凸な湾曲形状に形成されている。なお、前後両側帯状支持板４０ｂは、上記第１実施形態にて述べた左右両側案内レール４０ａに代えて、上記第１実施形態に述べたと同様に、左右両側案内レール４０ｃにスポット溶接等により固着されている。その他の構成は、上記第１実施形態と同様である。
【０１４３】
このように構成した本第３実施形態では、各摺動部材ＳＬにおいては、上記第１実施形態にて述べた前後両側区画部８０が、上述のごとく、ケーシング６０に設けられているから、上記第１実施形態にて述べたように、各案内レール４０ｃがその前後方向において湾曲しているものの、各ケーシング６０の前側凹状収容部Ａと中側凹状収容部Ｂとの間や中側凹状収容部Ｂと後側凹状収容部Ｃとの間において、前後両側区画部８０の前後方向連結部位Ｌａ、Ｌｂを基準として、撓み易い。
【０１４４】
従って、左右両側案内レール４０ｃの湾曲形状に起因するケーシング６０に対する応力が、前後両側区画部８０でもって良好に吸収され得るので、各摺動部品ＳＬの各対応案内レール４０ｃ内における摺動が円滑になされ得る。
【０１４５】
なお、このようなことは、上記第２実施形態にて述べたようにＨ字状の区画部８０ａが、ケーシング６０に形成されていても、左右両側案内レール４０ｃの湾曲形状に起因するケーシング６０に対する応力が、上述と同様に、前後両側区画部８０ａでもって良好に吸収され得るので、各摺動部品ＳＬの各対応案内レール４０ｃ内における摺動が円滑になさ得る。その他の作動及び作用効果は上記第１実施形態と同様である。
【０１４６】
なお、本発明の実施にあたり、上記各実施形態に限ることなく、次のような種々の変形例が挙げられる。
（１）本発明の実施にあたり、上記第１実施形態にて述べた案内レール装置において、前後両側帯状支持板４０ｂは廃止してもよい。
（２）本発明の実施にあたり、上記第１或いは第２実施形態にて述べたＵ字状前後両側区画部８０或いはＨ字状前後両側区画部８０ａは、Ｕ字状或いはＨ字状に限ることなく、例えば逆Ｕ字状などの適宜な構成としてもよい。
（３）本発明の実施にあたり、上記第１或いは第２の実施形態において、ケーシング６０は、上述したＵ字状前後両側区画部８０或いはＨ字状前後両側区画部８０ａを有さないケーシングであってもよい。
（４）本発明の実施にあたり、自動車に限ることなく、バスやトラック等を含めた各種車両のサンルーフの窓に本発明を適用してもよい。
（５）本発明の実施にあたり、押え込み前突出部−中側上下方向連結部間長さＤ或いは押え込み後突出部−中側上下方向連結部間長さＤ１は、上記実施形態とは異なり、突出部６２ｄの外周面と中側上壁部６２の下面との間の後側交点（図７或いは図１０参照）から中側上壁部６２の下面と中側上下方向連結部６２ｂの前側面との間の交点（図７或いは図１０参照）までの長さであってもよい。
【符号の説明】
【０１４７】
１０…車体、２０…屋根、２１…外板、２２…内板、３０…窓、
４０…案内レール装置、４０ａ…案内レール、５０…サンシェード、
６０ａ…上壁、６０ｂ…下壁、６０ｃ…底壁、
６１ｂ、６２ａ、６２ｂ、６３ａ…中側上下方向連結壁部、６２…中側上壁部、
６２ｃ…山形状壁部、６２ｄ…突出部、６５ａ…前側部、６５ｂ…後側部、
６５ｃ…前後方向中間部位、７０…板状スプリング、８０、８０ａ…区画部、
Ａ…前側凹状収容部、Ｂ…中側凹状収容部、Ｃ…後側凹状収容部、
Ｄ…押え込み前突出部−中側上下方向連結部間長さ、Ｅ、Ｆ…脚部延出長さ、
Ｉ…頂部高さ、Ｌａ、Ｌｂ…前後方向連結部位、
ＳＤ…サンシェード装置、ＳＬ…摺動部品、Ｔ…頂部。
【図１】
0006506143.tif 000002
【図２】
0006506143.tif 000003
【図３】
0006506143.tif 000004
【図４】
0006506143.tif 000005
【図５】
0006506143.tif 000006
【図６】
0006506143.tif 000007
【図７】
0006506143.tif 000008
【図８】
0006506143.tif 000009
【図９】
0006506143.tif 000010
【図１０】
0006506143.tif 000011
【図１１】
0006506143.tif 000012
【図１２】
0006506143.tif 000013
【図１３】
0006506143.tif 000014